(57)【要約】【課題】所定領域を指示部が往復移動して時間情報を表示するとともに、指示部の移動方向を容易に判別できる表示機構、時計用ムーブメントおよび時計を提供する。【解決手段】表示機構５は、レトログラード表示領域２１を指示部６が往復移動して時間情報を表示する表示部２０と、指示部６が、レトログラード表示領域２１の一端２２から他端２３へ、またはレトログラード表示領域２１の他端２３から一端２２へ向かう際の、指示部６の移動方向を示す方向表示部３０と、を備えている。動力伝達機構４０は、指示部６がレトログラード表示領域２１の一端２２から他端２３へ移動するときに第１マーク３１を第１開口部１５から露出させ、指示部６がレトログラード表示領域２１の他端２３から一端２２へ移動するときに第２マーク３２を第２開口部１６から露出させるように、方向表示部３０を動作させる。【選択図】図４
2014235094.tif 000002
【特許請求の範囲】
【請求項１】
所定領域を指示部が往復移動して時間情報を表示する表示部と、
前記指示部が、前記所定領域の一端から他端へ、または前記所定領域の他端から一端へ向かう際の、前記指示部の移動方向を示す方向表示部と、
を備えたことを特徴とする表示機構。
【請求項２】
動力を前記方向表示部に伝達して、前記方向表示部を動作させる動力伝達機構を備え、
前記方向表示部は、前記所定領域の一端から他端へ向かう方向を示す第１マークと、前記所定領域の他端から一端へ向かう方向を示す第２マークと、を備え、
前記動力伝達機構は、前記指示部が前記所定領域の一端から他端へ移動するときに前記第１マークを表示し、前記指示部が前記所定領域の他端から一端へ移動するときに前記第２マークを表示するように、前記方向表示部を動作させることを特徴とする請求項１に記載の表示機構。
【請求項３】
前記表示部の前記所定領域は、前記方向表示部を覆う文字板に、第１軸を中心とする扇形状に形成され、
前記指示部は、前記第１軸周りに回動可能に支持されて、前記所定領域の一端と他端との間を往復移動可能に形成され、
前記文字板には、開口部が形成され、
前記動力伝達機構は、前記指示部が前記所定領域の一端から他端へ移動するときに前記第１マークを前記開口部から露出させ、前記指示部が前記所定領域の他端から一端へ移動するときに前記第２マークを前記開口部から露出させるように、前記方向表示部を動作させることを特徴とする請求項２に記載の表示機構。
【請求項４】
前記動力伝達機構は、
２４時間で１回転する２４時間車と、
前記２４時間車に対して揺動可能に連結され、作動用回動部材および前記指示部を回  動させる２４時作動レバーと、
一方端部が前記作動用回動部材に対して第２軸周りに回動可能に連結されるとともに  、他方端部が前記方向表示部に対して連結され、前記作動用回動部材の往復回動にとも  なって揺動する表示部作動レバーと、
前記表示部作動レバーの他方端部の移動を所定範囲内に規制する規制部と、
を備え、
前記表示部作動レバーの一方端部は、前記表示部作動レバーに対して前記第２軸周りに所定トルク以上の負荷が加わったときに、前記作動用回動部材に対して前記第２軸周りに回動するように構成されていることを特徴とする請求項３に記載の表示機構。
【請求項５】
前記指示部は、２４時針であり、前記所定領域を２４時間で１往復することを特徴とする請求項１から４のいずれか１項に記載の表示機構。
【請求項６】
前記指示部は、前記所定領域の一端から他端への移動時間と、前記所定領域の他端から一端への移動時間とが異なることを特徴とする請求項１から５のいずれか１項に記載の表示機構。
【請求項７】
請求項１に記載の表示機構を備えたことを特徴とする時計用ムーブメント。
【請求項８】
請求項７に記載の時計用ムーブメントを備えたことを特徴とする時計。
【発明の詳細な説明】
【技術分野】
【０００１】
この発明は、表示機構、時計用ムーブメントおよび時計に関するものである。
【背景技術】
【０００２】
従来から、曜日等を扇形状の目盛りで表示するとともに、この目盛りを指す指針（指示部）が扇形状の中心軸周りに一方側から他方側へ向かって運針後、瞬時に他方側から一方側へ戻る運針を繰り返す、いわゆるレトログラード表示機構を備えた機械式時計が知られている（例えば、特許文献１参照）。
このような表示機構において曜日を表示させる場合を例に説明する。
扇形の表示領域の一端部（他方側）から順に終端部（一方側）までには、曜日である月、火、水・・・日が表示されており、運針は、時間経過とともに現在の曜日を指し示す（すなわち、月から日まで指し示す）。そして、月曜日を迎えると、運針は、表示領域に表示された日から月まで瞬間的に戻るようになっている。
【０００３】
このような特許文献１に記載の表示機構は、筒車によって駆動される曜中間車と、この曜中間車を介して回転するカムと、カムに当接された状態でばねにより付勢される回動可能なレバーと、このレバーに設けられた歯車部に連動し、かつ、曜針を取り付け可能な小曜車とを備えている。特許文献１に記載の発明によれば、レバーがカムの回転中心から離れる方向に回動するのにともない、レバーに対するばねの付勢力が蓄積され、この蓄積された付勢力がカムの周期終了時に解放されることによって、曜針を瞬間的に復帰（帰零）させることができるとされている。
【先行技術文献】
【特許文献】
【０００４】
【特許文献１】特開２００６−２２６９９０号公報
【発明の概要】
【発明が解決しようとする課題】
【０００５】
このような従来技術の表示機構では、扇形の表示領域の一端部から他端部へ運針が移動した後、瞬間的に一端部へ戻るようになっている。
したがって、運針が他端部へ移動した後に一端部へ戻る際に、時間経過に応じて運針を移動させることはできなかった。換言すれば、運針が、表示領域を往復移動（一端部から他端部へ移動し、更に一端部に戻る移動）しながら、時間経過に応じた所定の情報を表示することができなかった。また、連続的な指示部の移動により初期位置に復帰可能な表示機構を従来技術の表示機構に付加する場合、部品点数が増加し、かつ構造が複雑となるおそれがある。さらに、移動領域の一端と他端との間を指示部が連続的に往復移動する場合、指示部の移動方向を判別できないという問題もある。
【０００６】
そこで本発明は、所定領域を指示部が往復移動して時間情報を表示するとともに、指示部の移動方向を容易に判別できる表示機構、時計用ムーブメントおよび時計の提供を課題とする。
【課題を解決するための手段】
【０００７】
上記の課題を解決するため、本発明の表示機構は、所定領域を指示部が往復移動して時間情報を表示する表示部と、前記指示部が、前記所定領域の一端から他端へ、または前記所定領域の他端から一端へ向かう際の、前記指示部の移動方向を示す方向表示部と、を備えたことを特徴としている。
【０００８】
本発明によれば、簡単な構成で連続的に指示部を往復移動でき、時間情報の表示の多様化に対応できる。また、指示部の移動方向を示す方向表示部を備えているので、所定領域の一端と他端との間を指示部が往復移動している場合であっても、指示部の移動方向を容易に判別できる。
【０００９】
また、動力を前記方向表示部に伝達して、前記方向表示部を動作させる動力伝達機構を備え、前記方向表示部は、前記所定領域の一端から他端へ向かう方向を示す第１マークと、前記所定領域の他端から一端へ向かう方向を示す第２マークと、を備え、前記動力伝達機構は、前記指示部が前記所定領域の一端から他端へ移動するときに前記第１マークを表示し、前記指示部が前記所定領域の他端から一端へ移動するときに前記第２マークを表示するように、前記方向表示部を動作させることを特徴としている。
【００１０】
本発明によれば、動力伝達機構は、指示部が所定領域の一端から他端へ移動するときに第１マークを表示し、指示部が所定領域の他端から一端へ移動するときに第２マークを表示するように、方向表示部を動作させるので、指示部の移動方向を容易に判別できる。
【００１１】
また、前記表示部の前記所定領域は、前記方向表示部を覆う文字板に、第１軸を中心とする扇形状に形成され、前記指示部は、前記第１軸周りに回動可能に支持されて、前記所定領域の一端と他端との間を往復移動可能に形成され、前記文字板には、開口部が形成され、前記動力伝達機構は、前記指示部が前記所定領域の一端から他端へ移動するときに前記第１マークを前記開口部から露出させ、前記指示部が前記所定領域の他端から一端へ移動するときに前記第２マークを前記開口部から露出させるように、前記方向表示部を動作させることを特徴としている。
【００１２】
本発明によれば、表示部の所定領域は第１軸を中心とする扇形状に形成され、指示部は、第１軸周りに回動可能に支持されて、所定領域の一端と他端との間を往復移動可能に形成されているので、いわゆるレトログラード表示機構において、指示部を第１軸周りに連続的に移動させることができる。また、文字板には、開口部が形成され、動力伝達機構は、指示部が所定領域の一端から他端へ移動するときに第１マークを開口部から露出させ、指示部が所定領域の他端から一端へ移動するときに第２マークを開口部から露出させるように、方向表示部を動作させるので、指示部が第１軸周りに連続的に移動するときの移動方向を文字板の開口部から表示させることができる。したがって、文字板を見ることにより、指示部の移動方向を一目で容易に判別できる。
【００１３】
また、前記動力伝達機構は、２４時間で１回転する２４時間車と、前記２４時間車に対して揺動可能に連結され、作動用回動部材および前記指示部を回動させる２４時作動レバーと、一方端部が前記作動用回動部材に対して第２軸周りに回動可能に連結されるとともに、他方端部が前記方向表示部に対して連結され、前記作動用回動部材の往復回動にともなって揺動する表示部作動レバーと、前記表示部作動レバーの他方端部の移動を所定範囲内に規制する規制部と、を備え、前記表示部作動レバーの一方端部は、前記表示部作動レバーに対して前記第２軸周りに所定トルク以上の負荷が加わったときに、前記作動用回動部材に対して前記第２軸周りに回動するように構成されていることを特徴としている。
【００１４】
本発明によれば、動力伝達機構は、２４時間車と、作動用回動部材および指示部を回動させる２４時作動レバーと、作動用回動部材の往復回動にともなって揺動する表示部作動レバーと、表示部作動レバーの他方端部の移動を所定範囲内に規制する規制部と、を備えているので、少ない部品点数および簡単な構成で動力伝達機構を形成できる。したがって、複雑な機構を設けることなく簡単な構成で方向表示部を動作させることができる。
また、表示部作動レバーの一方端部は、表示部作動レバーに対して第２軸周りに所定トルク以上の負荷が加わったときに、作動用回動部材に対して第２軸周りに回動するように構成されているので、表示部作動レバーの他方端部が規制部により移動を規制されているときには、表示部作動レバーに対して第２軸周りに所定トルク以上の負荷が加わることにより、表示部作動レバーの一方端部が回動するとともに、作動用回動部材の回動にともなって、表示部作動レバーの他方端部を規制部に沿って移動させることができる。また、表示部作動レバーの他方端部が規制部により移動を規制されていないときには、表示部作動レバーに対して第２軸周りに所定トルク以上の負荷が加わることがないので、表示部作動レバーの一方端部が回動することなく、作動用回動部材の回動にともなって、表示部作動レバーの他方端部を所定範囲内で移動させることができる。このように、表示部作動レバーの他方端部は、連結された方向表示部を支持した状態で規制部によって規制された所定範囲内を移動するので、方向表示部を移動させて指示部の移動方向を表示することができる。
したがって、簡単な構成で連続的に指示部を往復移動できるとともに、指示部の移動方向を容易に判別できる表示機構を提供できる。
さらに、表示部作動レバーに対して第２軸周りに所定トルク以上の負荷が加わったときに、作動用回動部材に対して第２軸周りに回動するように構成されていることから、過剰なトルクが表示部作動レバーに対して作用した場合であっても、表示部作動レバー等の各部品の損傷を防止できる。したがって、例えば本発明に係る表示機構を時計に採用した場合に、りゅうずを所定方向に回転させて時計の時刻の表示（時や分等の表示）を修正する際に、りゅうずを所定方向とは逆方向に回転させても、表示部作動レバー等の各部品の損傷を防止できる。
【００１５】
また、前記指示部は、２４時針であり、前記所定領域を２４時間で１往復することを特徴としている。
【００１６】
本発明によれば、０時から２４時の時の情報を表示する表示機構に、好適に用いることができる。
【００１７】
また、前記指示部は、前記所定領域の一端から他端への移動時間と、前記所定領域の他端から一端への移動時間とが異なることを特徴としている。
【００１８】
本発明によれば、趣向に優れた表示機構を実現できる。
【００１９】
また、本発明の時計用ムーブメントは、上述の表示機構を備えたことを特徴とする。
また、本発明の時計は、上述の時計用ムーブメントを備えたことを特徴とする。
【００２０】
本発明によれば、簡単な構成で連続的に指示部を往復移動できるとともに、指示部の移動方向を容易に判別できる上述の表示機構を備えているので、小型かつ低コストで意匠性に優れた時計用ムーブメントおよび時計を提供できる。
【発明の効果】
【００２１】
本発明によれば、簡単な構成で連続的に指示部を往復移動でき、時間情報の表示の多様化に対応できる。また、指示部の移動方向を示す方向表示部を備えているので、所定領域の一端と他端との間を指示部が往復移動している場合であっても、指示部の移動方向を容易に判別できる。
【図面の簡単な説明】
【００２２】
【図１】実施形態に係る時計の外観図である。
【図２】実施形態に係る時計の外観図である。
【図３】図１に示す時計のＡ−Ａ線に沿った断面図である。
【図４】指示部がレトログラード表示領域を一端から他端へ移動しているときの表示機構の説明図である。
【図５】指示部がレトログラード表示領域を他端から一端へ移動しているときの表示機構の説明図である。
【図６】指示部が０時を指しているときの表示機構の説明図である。
【図７】指示部が３時を指しているときの表示機構の説明図である。
【図８】指示部が９時を指しているときの表示機構の説明図である。
【図９】指示部が１２時を指しているときの表示機構の説明図である。
【図１０】指示部が１８時を指しているときの表示機構の説明図である。
【図１１】指示部が１９時を指しているときの表示機構の説明図である。
【図１２】指示部が２１時を指しているときの表示機構の説明図である。
【図１３】指示部が２２時を指しているときの表示機構の説明図である。
【図１４】指示部が２４時を指しているときの表示機構の説明図である。
【発明を実施するための形態】
【００２３】
以下に、この発明の実施形態について、図面を用いて説明する。
以下では、まず実施形態に係る機械式の腕時計（請求項の「時計」に相当。）およびこの腕時計に組み込まれたムーブメント（請求項の「時計用ムーブメント」に相当。）について説明したあと、表示機構の詳細について説明する。
【００２４】
（時計）
一般に、時計の駆動部分を含む機械体を「ムーブメント」と称する。このムーブメントに文字板および針を取り付けて、時計ケースの中に入れて完成品にした状態を時計の「コンプリート」と称する。時計の基板を構成する地板の両側のうち、時計ケースのガラスのある方の側、すなわち文字板のある方の側をムーブメントの「裏側」と称する。また、地板の両側のうち、時計ケースのケース裏蓋のある方の側、すなわち文字板と反対の側をムーブメントの「表側」と称する。
【００２５】
図１および図２は、実施形態に係る時計１の外観図である。
図３は、図１に示す時計のＡ−Ａ線に沿った断面図である。
図１に示すように、本実施形態の時計１のコンプリートには、ケース本体３ａ、不図示の裏蓋、およびカバーガラス３ｂを備えた時計ケース３内に、ムーブメント１０と、時刻に関する情報を示す目盛り２ａを有する文字板２と、時を示す時針４ａ、分を示す分針４ｂおよび秒を示す秒針４ｃを含む針４と、が設けられている。
文字板２には、時針４ａ、分針４ｂおよび秒針４ｃの回転中心である時計１の中心軸Ｏよりも平面視で目盛り２ａの６時側に、０時から２４時の時の情報の表示について表示するレトログラード表示領域２１（請求項の「所定領域」に相当。）が設けられている。なお、図１においては、レトログラード表示領域２１を一点鎖線で図示している。
【００２６】
さらに、本実施形態の時計１のコンプリートには、レトログラード表示領域２１を指示部６が連続的に往復移動して２４時間の時の情報を表示する表示部２０と、指示部６の移動方向を示す方向表示部３０と、方向表示部３０を動作させる動力伝達機構４０（図３参照）と、を備えた表示機構５が設けられている。表示機構５については、後に詳述する。
なお、本発明において、「連続的な往復移動」の一例としては、例えば、運針（指示部６）が、表示領域（表示部２０）を往復移動（表示領域の一端２２から他端２３へ移動し、更に一端２２に戻る移動）しながら、時間経過に応じた所定の情報を表示することを含むものとする。
【００２７】
図３に示すように、ムーブメント１０は、ムーブメント１０の基板を構成する地板１２を有している。この地板１２の表側の面には、てんぷ、がんぎ車、アンクル等を含む図示しない脱進・調速機構と、四番車、三番車、二番車および香箱車を含む図示しない表輪列と、が少なくとも配置されている。
【００２８】
地板１２の裏側には、分車１７および筒車１８を含む裏輪列と、動力伝達機構４０と、が少なくとも配置されている。裏輪列および動力伝達機構４０は、地板１２と、地板１２よりも裏側に設けられた第２地板１４との間に配置されている。
第２地板１４の裏側には、文字板２が配置されている。図１に示すように、文字板２には、一対の開口部１５，１６（第１開口部１５および第２開口部１６）が形成されている。第１開口部１５および第２開口部１６は、中心軸Ｏよりも平面視で目盛り２ａの８時側に、それぞれ径方向に離間するように設けられている。
【００２９】
地板１２の図示しない巻真案内穴には、巻真８が回転可能に組み込まれている。この巻真８は、例えば、日付の修正や、時刻表示（時および分の表示）を修正する際に用いられる時計部品である。巻真８の一端部には、時計ケース３の側方に位置するりゅうず７が取付けられている。
巻真８は、巻真案内穴によって回転可能に支持されているとともに、巻真８の延在方向に例えば２段階に引き出し操作可能とされている。この際、巻真８は、地板１２の表側に配置された、おしどり、かんぬきやかんぬきばね等の図示しない切替装置により、延在方向の位置が決められている。
【００３０】
表示機構５は、主に表示部２０と、方向表示部３０と、動力伝達機構４０（図３参照）と、を備えている。
表示部２０は、レトログラード表示領域２１を指示部６が連続的に往復移動して、時間情報を表示するものである。
表示部２０のレトログラード表示領域２１は、平面視で時計１の中心軸Ｏよりも目盛り２ａの６時側に位置する第１軸Ｐを中心とし、目盛り２ａの５時側と７時側との間に広がる扇形状に形成されている。レトログラード表示領域２１の中心角度は、例えば約９０°となっている。以下の説明においては、レトログラード表示領域２１における目盛り２ａの５時側に対応した端部を一端２２とし、目盛り２ａの７時側に対応した端部を他端２３として説明する。
【００３１】
図３に示すように、指示部６は、軸部材６１を介して、地板１２と第２地板１４とにより第１軸Ｐ周りに回動可能に支持されている。
図１に示すように、指示部６は、レトログラード表示領域２１を一端２２から他端２３へ連続的に移動したあと、レトログラード表示領域２１を他端２３から一端２２へ連続的に移動する動作を繰り返すことにより、レトログラード表示領域２１の一端２２と他端２３との間を往復移動する。
本実施形態の指示部６は、０時から２４時の時を示すいわゆる２４時針であって、レトログラード表示領域２１を２４時間で１往復する（すなわち、往復運動しながら、時間経過に応じた情報を表示する）。なお、図１は、指示部６がレトログラード表示領域２１を一端２２から他端２３へ移動している状態を図示しており、図２は、指示部６がレトログラード表示領域２１を他端２３から一端２２へ移動している状態を図示している。
【００３２】
レトログラード表示領域２１には、第１軸Ｐを中心とした時計回り方向の一端２２から他端２３に向かって、４５°ピッチの等間隔に、０時、９時および１８時の時を表す第１文字２５が付されている。第１文字２５は、指示部６がレトログラード表示領域２１を一端２２から他端２３に向かって移動する際に、指示部６によって指示される文字である。
また、１８時、９時および０時の時を表す各第１文字２５に対応した位置であって、各第１文字２５よりも外側には、第１軸Ｐを中心とした反時計回り方向の他端２３から一端２２に向かって、４５°ピッチの等間隔に、１８時、２１時および２４時の時を表す第２文字２６が付されている。第２文字２６は、指示部６がレトログラード表示領域２１を他端２３から一端２２に向かって移動する際に、指示部６によって指示される文字である。
【００３３】
第１軸Ｐを中心とした周方向におけるレトログラード表示領域２１よりも外側には、指示部６の移動方向を示す第１方向指示部２７および第２方向指示部２８が付されている。第１方向指示部２７は、指示部６が一端２２から他端２３に向かって移動するときの移動方向を示すものであり、０時の時を表す第１文字２５の側方において、例えば時計回り方向を指向する矢印として付されている。また、第２方向指示部２８は、指示部６が他端２３から一端２２に向かって移動するときの移動方向を示すものであり、１８時の時を表す第２文字２６の側方において、例えば反時計回り方向を指向する矢印として付されている。
【００３４】
レトログラード表示領域２１の径方向における第１文字２５と第２文字２６との間には、目盛り２９がレトログラード表示領域２１の周方向にわたって複数（本実施形態では７本）付されている。隣り合う目盛り２９の間隔は、一端２２と他端２３との中間部に向かうに従い漸次広くなっている。
目盛り２９は、指示部６が一端２２から他端２３に向かって移動するとき、１目盛りあたり３時間の時間経過を示す。また、目盛り２９は、指示部６が他端２３から一端２２に向かって移動するとき、１目盛りあたり１時間の時間経過を示す。
【００３５】
ここで、指示部６は、レトログラード表示領域２１の一端２２から他端２３への移動時間と、レトログラード表示領域２１の他端２３から一端２２への移動時間とが異なっている。具体的には、指示部６は、レトログラード表示領域２１の一端２２から他端２３へ向かって１８時間で移動し、レトログラード表示領域２１の他端２３から一端２２へ向かって６時間で移動するように構成されている。これにより、趣向に優れた表示機構５を実現できる。
【００３６】
図４は、指示部６がレトログラード表示領域２１を一端２２から他端２３へ移動しているときの表示機構５の説明図であり、図５は、指示部６がレトログラード表示領域２１を他端２３から一端２２へ移動しているときの表示機構５の説明図である。なお、図４および図５においては、文字板２を透過して図示しており、第１開口部１５、第２開口部１６および指示部６をそれぞれ二点鎖線で図示している。また、表示部２０のレトログラード表示領域２１を一点鎖線で図示している。
【００３７】
図４に示すように、方向表示部３０は、指示部６がレトログラード表示領域２１の一端２２から他端２３へ、またはレトログラード表示領域２１の他端２３から一端２２へ向かう際の移動方向を示すものであり、例えば円盤状に形成されている。方向表示部３０は、第１開口部１５および第２開口部１６に対応した領域を除き、文字板２によって覆われている。方向表示部３０は、レトログラード表示領域２１の一端２２から他端２３へ向かう方向を示す第１マーク３１と、レトログラード表示領域２１の他端２３から一端２２へ向かう方向を示す第２マーク３２と、を備えている。
【００３８】
第１マーク３１および第２マーク３２は、方向表示部３０の中心軸を挟んで径方向の両側であって、周方向においてそれぞれ文字板２の第１開口部１５および第２開口部１６に対応した位置に付されている。第１マーク３１と第２マーク３２との径方向における離間距離は、文字板２の第１開口部１５と第２開口部１６との径方向における離間距離よりも十分小さくなっている。
これにより、方向表示部３０が移動して第１マーク３１が第１開口部１５から露出したとき、第２マーク３２が文字板２により覆われて第２開口部１６から露出できないようになっている。また、図５に示すように、方向表示部３０が移動して第２マーク３２が第２開口部１６から露出したとき、第１マーク３１が文字板２により覆われて第１開口部１５から露出できないようになっている。
【００３９】
動力伝達機構４０は、主に、２４時間車４１と、２４時作動レバー４３と、伝達回動部材４６および表示伝え車４７を備えた作動用回動部材４５と、表示部作動レバー５１と、規制部５６と、により構成されている。
図３に示すように、２４時間車４１は、軸部材を介して、地板１２により２４時間車４１の中心軸周りに回転自在に支持されている。２４時間車４１は、例えば中間車１９を介して筒車１８と噛合している。中間車１９は、筒車１８の駆動力を２４時間車４１に伝達するとともに、筒車１８の回転速度を１／２倍に減速している。これにより、２４時間車４１は、筒車１８の１／２倍の回転速度、すなわち２４時間に１回転の回転速度で回転する。
２４時間車４１の中心よりも径方向の外側であって、外縁部の近傍には、円筒状のピン部材４１ａがムーブメント１０の裏側に向かって突設されている。
【００４０】
２４時作動レバー４３は、長尺板状の部材である。２４時作動レバー４３の長手方向における一方端部４３ａは、指示部６と共通の軸部材６１を介して、地板１２と第２地板１４とにより第１軸Ｐ周りに回動可能に支持されている。これにより、２４時作動レバー４３は、指示部６とともに第１軸Ｐ周りに回動する。
図４に示すように、２４時作動レバー４３の一方端部４３ａよりも他方側には、長手方向に沿って延びる長孔４３ｂが形成されている。長孔４３ｂには、２４時間車４１のピン部材４１ａが長孔４３ｂ内をスライド移動自在に挿通されている。２４時作動レバー４３は、２４時間車４１の回転にともなってピン部材４１ａが長孔４３ｂ内をスライド移動することにより、第１軸Ｐ周りに回動する。
【００４１】
２４時作動レバー４３の一方端部４３ａ側には、作動用回動部材４５が設けられている。本実施形態の作動用回動部材４５は、伝達回動部材４６と、表示伝え車４７とにより構成されている。
伝達回動部材４６は、２４時作動レバー４３の長手方向に沿う中心線を挟んで所定の中心角度で両側に広がる扇形状に形成されている。図３に示すように、伝達回動部材４６は、指示部６および２４時作動レバー４３と共通の軸部材６１を介して、地板１２と第２地板１４とにより第１軸Ｐ周りに回動可能に支持されている。これにより、伝達回動部材４６は、２４時作動レバー４３および指示部６とともに回動する。
また、伝達回動部材４６の弧状部分には、歯部４５ａが形成されている。伝達回動部材４６の歯部４５ａは、表示伝え車４７と噛合している。
【００４２】
表示伝え車４７は、軸部材を介して、地板１２と第２地板１４とにより、表示伝え車４７の中心軸周りに回転可能に支持されている。表示伝え車４７は、伝達回動部材４６の歯部４５ａと噛合しているので、伝達回動部材４６の回動にともなって回動する。
表示伝え車４７の中心よりも径方向の外側であって、外縁部の近傍には、円筒状のピン部材４７ａがムーブメント１０の裏側に向かって突設されている。なお、以下の説明では、ピン部材４７ａの中心軸を第２軸Ｑと定義する。
【００４３】
図４に示すように、表示部作動レバー５１は、長尺板状の部材である。表示部作動レバー５１の長手方向における一方端部５２には、表示伝え車４７のピン部材４７ａが挿入される挿入孔５３ａと、表示部作動レバー５１の長手方向に沿って延びるとともに挿入孔５３ａと連通するスリット５３ｂと、が形成されている。
【００４４】
挿入孔５３ａは、例えば六角形状に形成されている。挿入孔５３ａの対向する両内面の幅は、表示伝え車４７のピン部材４７ａの直径よりもわずかに狭くなっている。すなわち、挿入孔５３ａの外形は、ピン部材４７ａの外形よりも小さくなるように形成されている。これにより、挿入孔５３ａにピン部材４７ａを挿入したとき、挿入孔５３ａの内面と、ピン部材４７ａの外周面とは、線接触するように構成されている。
【００４５】
また、挿入孔５３ａにピン部材４７ａを挿入したとき、挿入孔５３ａおよびスリット５３ｂが外側に広げられて、表示部作動レバー５１の一方端部５２が弾性変形する。このとき、ピン部材４７ａは、挿入孔５３ａの内面により所定の締め付け力で締め付けられた状態で、挿入孔５３ａ内に配置される。これにより、表示部作動レバー５１の一方端部５２は、表示部作動レバー５１に対して第２軸Ｑ周りに所定トルク以上の負荷が加わったときに、表示伝え車４７のピン部材４７ａに対して第２軸Ｑ周りに回動するように構成される。以下、この所定トルクをスリップトルクという。
【００４６】
図３に示すように、表示部作動レバー５１の長手方向における他方端部５４には、円筒状のピン部材５５が挿通されている。ピン部材５５は、表示部作動レバー５１からムーブメント１０の表側および裏側に向かって突出している。
ピン部材５５のうち、表示部作動レバー５１よりもムーブメント１０の表側の部分には、方向表示部３０が、ピン部材５５と同軸上に取り付けられている。これにより、表示部作動レバー５１の他方端部５４は、方向表示部３０に対して相対移動不能に連結される。
また、ピン部材５５のうち、表示部作動レバー５１よりもムーブメント１０の表側の部分は、規制ピン５５ａとなっている。規制ピン５５ａは、地板１２に形成された凹部５７内に配置されている。
上述のように形成された表示部作動レバー５１は、表示伝え車４７の往復回動にともなって揺動する。
【００４７】
規制部５６は、例えば地板１２に形成された凹部５７の壁面５６ａにより形成される。凹部５７内に配置された表示部作動レバー５１の規制ピン５５ａは、凹部５７の壁面５６ａに当接することで、その移動が規制される。また、規制部５６により画成された領域（すなわち凹部５７内）は、規制ピン５５ａの移動可能範囲５８（請求項の「所定範囲」に相当。）となっている。表示部作動レバー５１の他方端部５４は、表示伝え車４７の回動によって表示部作動レバー５１が揺動するとき、移動可能範囲５８内に移動が規制される。換言すれば、表示部作動レバー５１の他方端部５４は、方向表示部３０を支持した状態で移動可能範囲５８内を移動可能とされる。
【００４８】
ここで、表示部作動レバー５１の一方端部５２が、表示伝え車４７のピン部材４７ａに対して第２軸Ｑ周りに回動するときのスリップトルクをＴ１とする。また、表示伝え車４７の回動時において、表示部作動レバー５１の他方端部５４の移動が規制部５６により規制されているときの、第２軸Ｑ周りに発生するトルクを規制時トルクＴ２とする。また、表示伝え車４７の回動時において、表示部作動レバー５１の他方端部５４の移動が規制部５６により規制されることなく、他方端部５４が方向表示部３０を支持した状態で移動可能範囲５８内を移動しているときの、第２軸Ｑ周りに発生するトルクを非規制時トルクＴ３とする。このとき、スリップトルクＴ１、規制時トルクＴ２および非規制時トルクＴ３は、
Ｔ３＜Ｔ１≦Ｔ２・・・（１）
を満足するように設定される。
【００４９】
（１）式を満足することにより、表示部作動レバー５１の他方端部５４が規制部５６により移動を規制されているときには、表示部作動レバー５１に対して第２軸Ｑ周りにスリップトルクＴ１以上の負荷が加わり、表示部作動レバー５１の一方端部５２が回動する。そして、表示部作動レバー５１の他方端部５４は、方向表示部３０を支持した状態で、表示伝え車４７の往復回動にともなって規制部５６の壁面５６ａに沿って移動する。
また、表示部作動レバー５１の他方端部５４が規制部５６により移動を規制されていないときには、表示部作動レバー５１に対して第２軸Ｑ周りにスリップトルクＴ１以上の負荷が加わることがないので、表示部作動レバー５１の一方端部５２が回動しない。そして、表示部作動レバー５１の他方端部５４は、方向表示部３０を支持した状態で、表示伝え車４７の往復回動にともなって、移動可能範囲５８内を移動する。
さらに、スリップトルクＴ１を（１）式のように設定することで、以下のような効果を奏することもできる。例えば、りゅうず７（図１参照）を所定方向に回転させて時計１（図１参照）の時や分等の表示を修正する際に、りゅうず７を所定方向とは逆方向に回転させても、表示部作動レバー５１等の各部品の損傷を防止できる。
【００５０】
（作用）
続いて、上述のように構成された表示機構５の作用について説明する。図６から図１４は、それぞれ表示機構５の説明図であって、所定時刻を表示しているときの説明図である。なお、図６から図１４においては、文字板２を透過して図示しており、第１開口部１５、第２開口部１６および指示部６をそれぞれ二点鎖線で図示している。また、表示部２０のレトログラード表示領域２１を一点鎖線で図示している。また、説明を分かりやすくするために、図４および図５に対して、指示部６、表示部２０およびレトログラード表示領域２１の位置を異ならせている。すなわち、指示部６と２４時作動レバー４３とを同一直線状に配置するとともに、指示部６の位置に対応して、表示部２０およびレトログラード表示領域２１を設けている。また、図６から図１４では、２４時間車４１の回転中心を原点とするＸ−Ｙ軸線を定義している。以下の説明では、図６から図１４の各図中の右側を＋Ｘ側とし、左側を−Ｘ側とし、上側を＋Ｙ側とし、下側を−Ｙ側として、Ｘ−Ｙの直交座標系を用いて説明する。
【００５１】
図６に示すように、指示部６がレトログラード表示領域２１の一端２２に位置して０時を示す初期位置において、２４時間車４１のピン部材４１ａは、（−Ｘ，＋Ｙ）領域であって、Ｙ軸に対して４５°の位置に配置される。このとき、表示部作動レバー５１の他方端部５４は、最も−Ｙ側に位置するとともに、規制ピン５５ａが規制部５６の−Ｘ側の壁面５６ａに当接している。また、第１マーク３１は、第１開口部１５から露出した状態となっており、第２マーク３２は、文字板２により覆われた状態となっている。
【００５２】
次いで、時間の経過にともなって、２４時間車４１が時計回り方向に回転する。このとき、２４時間車４１のピン部材４１ａは、２４時間車４１の中心軸周りに時計回り方向に回動するとともに、２４時作動レバー４３の長孔４３ｂ内をスライド移動する。これにより、２４時作動レバー４３、指示部６および伝達回動部材４６は、第１軸Ｐ周りに時計回り方向に回動する。
このとき、図７に示すように、指示部６は、一端２２から他端２３に向かって第１軸Ｐ周りに連続的に回動し、時間の経過に対応した２４時間の時の情報を指示する。なお、図７に示す例においては、動作開始から３時間が経過して２４時間車４１の回転角度θ１＝４５°となっており、指示部６が３時を指示した状態を図示している。
【００５３】
また、伝達回動部材４６の回動にともなって、表示伝え車４７が反時計回り方向に回動するとともに、表示伝え車４７のピン部材４７ａが表示伝え車４７の中心軸周りに反時計回り方向に回動する。さらに、表示伝え車４７のピン部材４７ａを介して表示伝え車４７に連結された表示部作動レバー５１も、表示伝え車４７の回動にともなって、表示伝え車４７の中心軸周りに反時計回り方向に回動しようとする。
【００５４】
ところが、表示部作動レバー５１の他方端部５４は、規制部５６により−Ｘ側への移動が規制されている。このため、表示部作動レバー５１には、表示伝え車４７の回動時のトルクに対応した規制時トルクＴ２が、第２軸Ｑ周りに作用することとなる。ここで、上述のとおり、表示部作動レバー５１の一方端部５２のスリップトルクＴ１、規制時トルクＴ２および非規制時トルクＴ３は、
Ｔ３＜Ｔ１≦Ｔ２・・・（１）
を満足するように設定されている。
したがって、表示伝え車４７の回動により、表示部作動レバー５１に対して第２軸Ｑ周りにスリップトルクＴ１以上の負荷（すなわち規制時トルクＴ２）が加わる。これにより、表示部作動レバー５１の一方端部５２が回動するとともに、表示部作動レバー５１の他方端部５４が方向表示部３０を支持した状態で、規制部５６の壁面５６ａに沿って＋Ｙ側に移動する（図７参照）。
【００５５】
次いで、時間の経過にともなって、２４時間車４１がさらに時計回り方向に回転する。そして、図８に示すように、動作開始から９時間が経過して、２４時間車４１の回転角度θ１＝１３５°となり、ピン部材４１ａがＸ軸上に位置したときに、２４時作動レバー４３および指示部６がＸ軸上に位置するとともに、指示部６が９時を指示する。また、このとき、表示伝え車４７のピン部材４７ａおよび表示部作動レバー５１の他方端部５４は、最も＋Ｙ側に位置する。
【００５６】
次いで、図９に示すように、時間の経過にともなって、２４時間車４１がさらに時計回り方向に回転すると、伝達回動部材４６および表示伝え車４７の回動により、表示部作動レバー５１が、表示伝え車４７の中心軸周りに反時計回り方向に回動しようとする。
この場合においても、（１）式を満足しているので、表示部作動レバー５１に対して第２軸Ｑ周りにスリップトルクＴ１以上の規制時トルクＴ２が加わる。これにより、表示部作動レバー５１の一方端部５２が回動するとともに、表示部作動レバー５１の他方端部５４が方向表示部３０を支持した状態で、規制部５６の壁面５６ａに沿って−Ｙ側に移動する。
【００５７】
次いで、図１０に示すように、動作開始から１８時間が経過して、２４時間車４１の回転角度θ１＝２７０°となったときに、２４時作動レバー４３がレトログラード表示領域２１における他端２３の境界線上に位置するとともに、表示部作動レバー５１の他方端部５４が最も−Ｙ側に位置する。このとき、指示部６は、レトログラード表示領域２１の他端２３に位置しており、１８時を指示した状態となっている。
【００５８】
そして、図１０に示す状態からさらに時間が経過し、２４時間車４１の回転角度θ１＝２７０°以上になると、２４時作動レバー４３、指示部６および伝達回動部材４６は、第１軸Ｐ周りに反時計回り方向に反転して回動する（図１０におけるレトログラード表示領域２１の破線矢印参照）。その後、指示部６は、他端２３から一端２２に向かって第１軸Ｐ周りに連続的に回動する。
【００５９】
ここで、伝達回動部材４６の回動方向が反転することにより、伝達回動部材４６と噛合する表示伝え車４７は、反時計回り方向から時計回り方向に回動方向が反転する。また、表示伝え車４７のピン部材４７ａは、表示伝え車４７の中心軸周りに時計回り方向に回動する。さらに、表示伝え車４７のピン部材４７ａを介して表示伝え車４７に連結された表示部作動レバー５１も、表示伝え車４７の回動にともなって、表示伝え車４７の中心軸周りに時計回り方向に回動しようとする。
【００６０】
このとき、表示部作動レバー５１の他方端部５４における規制ピン５５ａは、＋Ｘ側が規制部５６とは当接していない。したがって、表示部作動レバー５１の他方端部５４は、規制部５６により−Ｘ側への移動が規制されることがない。
また、前述のとおり、表示部作動レバー５１の一方端部５２のスリップトルクＴ１、規制時トルクＴ２および非規制時トルクＴ３は、
Ｔ３＜Ｔ１≦Ｔ２・・・（１）
を満足するように設定されており、非規制時トルクＴ３はスリップトルクＴ１未満となっている。したがって、表示部作動レバー５１の他方端部５４が方向表示部３０を支持した状態で、移動可能範囲５８内を＋Ｘ側に移動する際、表示部作動レバー５１に非規制時トルクＴ３が加わっても、表示部作動レバー５１の一方端部５２が回動することがない。これにより、表示部作動レバー５１の他方端部５４は、方向表示部３０を支持した状態で、移動可能範囲５８内を＋Ｘ側に向かって移動する（図１０における移動可能範囲５８の破線矢印参照）。
【００６１】
表示部作動レバー５１の他方端部５４および方向表示部３０の＋Ｘ側への移動にともない、方向表示部３０に付された第１マーク３１および第２マーク３２も＋Ｘ側に移動する。これにより、第１マーク３１は、第１開口部１５から露出した状態から、次第に文字板２の裏側に隠れるように移動する。また、第２マーク３２は、文字板２の裏側に隠れた状態から、次第に第２開口部１６から露出するように移動する。
【００６２】
さらに時間が経過すると、表示部作動レバー５１の他方端部５４は、規制ピン５５ａが規制部５６の＋Ｘ側の壁面５６ａに当接して、＋Ｘ側への移動が規制される。これにより、表示部作動レバー５１の他方端部５４および方向表示部３０の＋Ｘ側への移動が終了し、第１マーク３１が文字板２の裏側に完全に隠れるとともに、第２マーク３２が第２開口部１６から完全に露出する。この時点で、第１マーク３１と第２マーク３２との表示の入れ替わりが完了し、第２マーク３２によって指示部６の移動方向が表示される。
【００６３】
次いで、図１１に示すように、時間の経過にともなって２４時間車４１がさらに時計回り方向に回転すると、表示伝え車４７に連結された表示部作動レバー５１も、表示伝え車４７の回動にともなって、表示伝え車４７の中心軸周りに時計回り方向に回動しようとする。ところが、表示部作動レバー５１の他方端部５４は、規制部５６により＋Ｘ側への移動が規制されている。このとき、スリップトルクＴ１、規制時トルクＴ２および非規制時トルクＴ３は、前述の（１）式を満足しているので、表示部作動レバー５１の一方端部５２が回動するとともに、表示部作動レバー５１の他方端部５４が方向表示部３０を支持した状態で、規制部５６の壁面５６ａに沿って＋Ｙ側に移動する。
【００６４】
そして、図１２に示すように、動作開始から２１時間が経過して、２４時間車４１の回転角度θ１＝３１５°となり、ピン部材４１ａがＸ軸上に位置したときに、２４時作動レバー４３および指示部６がＸ軸上に位置するとともに、指示部６が２１時を指示する。また、このとき、表示伝え車４７のピン部材４７ａおよび表示部作動レバー５１の他方端部５４は、最も＋Ｙ側に位置する。
【００６５】
次いで、図１３に示すように、２４時間車４１がさらに時計回り方向に回転すると、伝達回動部材４６および表示伝え車４７の回動により、表示部作動レバー５１が、表示伝え車４７の中心軸周りに時計回り方向に回動しようとする。
この場合においても、（１）式を満足しているので、表示部作動レバー５１に対して第２軸Ｑ周りにスリップトルクＴ１以上の規制時トルクＴ２が加わって、表示部作動レバー５１の一方端部５２が回動するとともに、表示部作動レバー５１の他方端部５４が方向表示部３０を支持した状態で、規制部５６の壁面５６ａに沿って−Ｙ側に移動する。
【００６６】
次いで、図１４に示すように、動作開始から２４時間が経過して、２４時間車４１の回転角度θ１＝３６０°となったときに、２４時作動レバー４３がレトログラード表示領域２１における一端２２の境界線上に位置するとともに、表示部作動レバー５１の他方端部５４が最も−Ｙ側に位置する。このとき、指示部６は、レトログラード表示領域２１の他端２３に位置しており、２４時を指示した状態となっている。
【００６７】
そして、さらに時間が経過し、２４時間車４１の回転角度θ１＝３６０°以上になると、２４時作動レバー４３、指示部６および伝達回動部材４６は、第１軸Ｐ周りに時計回り方向に反転して回動する（図１４におけるレトログラード表示領域２１の破線矢印参照）。その後、指示部６は、一端２２から他端２３に向かって第１軸Ｐ周りに再び連続的に回動する。
【００６８】
ここで、表示部作動レバー５１は、表示伝え車４７の回動にともなって、表示伝え車４７の中心軸周りに反時計回り方向に回動しようとする。このとき、表示部作動レバー５１の他方端部５４における規制ピン５５ａは、−Ｘ側が規制部５６とは当接していない。したがって、表示部作動レバー５１の他方端部５４は、規制部５６により−Ｘ側への移動が規制されることがない。
また、スリップトルクＴ１、規制時トルクＴ２および非規制時トルクＴ３は、（１）を満足するように設定されているので、表示部作動レバー５１に非規制時トルクＴ３が加わっても、表示部作動レバー５１の一方端部５２が回動することがない。これにより、表示部作動レバー５１の他方端部５４は、方向表示部３０を支持した状態で、移動可能範囲５８内を−Ｘ側に向かって移動する（図１４における移動可能範囲５８の破線矢印参照）。
【００６９】
表示部作動レバー５１の他方端部５４および方向表示部３０の−Ｘ側への移動にともない、方向表示部３０に付された第１マーク３１および第２マーク３２も−Ｘ側に移動する。そして、表示部作動レバー５１の他方端部５４は、規制ピン５５ａが規制部５６の−Ｘ側の壁面５６ａに当接して、−Ｘ側への移動が規制される。これにより、表示部作動レバー５１の他方端部５４および方向表示部３０の−Ｘ側への移動が終了するとともに、第２マーク３２が文字板２の裏側に再び隠れ、第１マーク３１が第１開口部１５から再び露出する（図６参照）。この時点で、第１マーク３１と第２マーク３２との表示の入れ替わりが完了し、第１マーク３１によって指示部６の移動方向が表示される。
以降、上述の動作を繰り返すことにより、レトログラード表示領域２１における一端２２と他端２３との間を指示部６が連続的に往復移動するとともに、方向表示部３０により指示部６の移動方向を表示することができる。
【００７０】
本実施形態によれば、簡単な構成で連続的に指示部６を往復移動でき、時間情報の表示の多様化に対応できる。また、指示部６の移動方向を示す方向表示部３０を備えているので、レトログラード表示領域２１の一端２２と他端２３との間を指示部６が往復移動している場合であっても、指示部６の移動方向を容易に判別できる。
【００７１】
また、動力伝達機構４０は、指示部６がレトログラード表示領域２１の一端２２から他端２３へ移動するときに第１マーク３１を表示し、指示部６がレトログラード表示領域２１の他端２３から一端２２へ移動するときに第２マーク３２を表示するように、方向表示部３０を動作させるので、指示部６の移動方向を容易に判別できる。
【００７２】
また、表示部２０のレトログラード表示領域２１は第１軸Ｐを中心とする扇形状に形成され、指示部６は、第１軸Ｐ周りに回動可能に支持されて、レトログラード表示領域２１の一端２２と他端２３との間を往復移動可能に形成されているので、いわゆるレトログラード表示機構において、指示部６を第１軸Ｐ周りに連続的に移動させることができる。また、文字板２には、第１開口部１５および第２開口部１６が形成され、動力伝達機構４０は、指示部６がレトログラード表示領域２１の一端２２から他端２３へ移動するときに第１マーク３１を第１開口部１５から露出させ、指示部６がレトログラード表示領域２１の他端２３から一端２２へ移動するときに第２マーク３２を第２開口部１６から露出させるように、方向表示部３０を動作させるので、指示部６が第１軸Ｐ周りに連続的に移動するときの移動方向を、文字板２の第１開口部１５および第２開口部１６から表示させることができる。したがって、文字板２を見ることにより、指示部６の移動方向を一目で容易に判別できる。
【００７３】
また、動力伝達機構４０は、２４時間車４１と、伝達回動部材４６、表示伝え車４７および指示部６を回動させる２４時作動レバーと、表示伝え車４７の往復回動にともなって揺動する表示部作動レバー５１と、表示部作動レバー５１の他方端部５４の移動を移動可能範囲５８内に規制する規制部５６と、を備えているので、少ない部品点数および簡単な構成で動力伝達機構４０を形成できる。したがって、複雑な機構を設けることなく簡単な構成で方向表示部３０を動作させることができる。
また、表示部作動レバー５１の一方端部５２は、表示部作動レバー５１に対して第２軸Ｑ周りにスリップトルクＴ１以上の負荷が加わったときに、表示伝え車４７のピン部材４７ａに対して第２軸Ｑ周りに回動するように構成されているので、表示部作動レバー５１の他方端部５４が規制部５６により移動を規制されているときには、表示部作動レバー５１に対して第２軸Ｑ周りにスリップトルクＴ１以上の規制時トルクＴ２が加わることにより、表示部作動レバー５１の一方端部５２が回動するとともに、表示伝え車４７の回動にともなって、表示部作動レバー５１の他方端部５４および方向表示部３０を規制部５６の壁面５６ａに沿って移動させることができる。また、表示部作動レバー５１の他方端部５４が規制部５６により移動を規制されていないときには、表示部作動レバー５１に対してスリップトルクＴ１未満の非規制時トルクＴ３が加わり、第２軸Ｑ周りにスリップトルクＴ１以上のトルクが加わることがないので、表示部作動レバー５１の一方端部５２が回動することなく、表示伝え車４７の回動にともなって表示部作動レバー５１の他方端部５４を移動可能範囲５８内で移動させることができる。これにより、表示部作動レバー５１の他方端部５４は、方向表示部３０を支持した状態で規制部５６によって画成された移動可能範囲５８内を移動するので、方向表示部３０を移動させて指示部６の移動方向を表示することができる。
したがって、簡単な構成で連続的に指示部６を往復移動できるとともに、指示部６の移動方向を容易に判別できる表示機構を提供できる。
さらに、表示部作動レバー５１に対して第２軸Ｑ周りにスリップトルクＴ１以上の負荷が加わったときに、表示伝え車４７のピン部材４７ａに対して第２軸Ｑ周りに回動するように構成されていることから、過剰なトルクが表示部作動レバー５１に対して作用した場合であっても、表示部作動レバー５１等の各部品の損傷を防止できる。したがって、りゅうず７を所定方向に回転させて時計１の時刻の表示（時や分等の表示）を修正する際に、りゅうず７を所定方向とは逆方向に回転させても、表示部作動レバー５１等の各部品の損傷を防止できる。
【００７４】
また、指示部６は、２４時針であり、レトログラード表示領域２１を２４時間で１往復するので、０時から２４時の時の情報を表示する表示機構５に、好適に用いることができる。
【００７５】
また、指示部６は、レトログラード表示領域２１の一端２２から他端２３への移動時間が１８時間であり、レトログラード表示領域２１の他端２３から一端２２への移動時間が６時間であり、レトログラード表示領域２１の一端２２から他端２３への移動時間と、レトログラード表示領域２１の他端２３から一端２２への移動時間とが異なるので、趣向に優れた表示機構５を実現できる。
【００７６】
また、本実施形態のムーブメント１０および時計１は、簡単な構成で連続的に指示部６を往復移動できるとともに、指示部６の移動方向を容易に判別できる上述の表示機構５を備えているので、小型かつ低コストで意匠性に優れたムーブメント１０および時計１を提供できる。
【００７７】
なお、この発明の技術範囲は上記の実施形態に限られるものではなく、本発明の趣旨を逸脱しない範囲において種々の変更を加えることが可能である。
【００７８】
レトログラード表示領域２１の位置や形状等は、実施形態には限定されない。したがって、実施形態では、レトログラード表示領域２１の中心角度は、例えば約９０°となっていたが、これに限定されない。このとき、レトログラード表示領域２１の中心角度に対応して、指示部６の回動角度を変更することが必要となるが、２４時間車４１の中心軸周りを回転するピン部材４１ａの回転半径を変更することにより対応が可能である。具体的には、ピン部材４１ａの回転半径を小さくすることにより指示部６の回動角度を小さくすることができ、ピン部材４１ａの回転半径を大きくすることにより指示部６の回動角度を大きくすることができる。
【００７９】
また、実施形態の指示部６は、レトログラード表示領域２１の一端２２から他端２３への移動時間が１８時間であり、レトログラード表示領域２１の他端２３から一端２２への移動時間が６時間であったが、指示部６の移動時間は実施形態に限定されることはなく変更が可能である。指示部６の移動時間の変更は、第１軸Ｐと２４時間車４１との離間距離を変更することにより可能である。具体的には、第１軸Ｐと２４時間車４１との離間距離を大きくすることにより、指示部６の一端２２から他端２３への移動時間と他端２３から一端２２への移動時間との差が小さくなるように変更できる。
かかる変更により、ユーザの活動時間に応じて、指示部６の移動時間を変更することができるため、例えば、ユーザが仕事等により時計を見る機会が多い時間帯（例えば、指示部６が、９時から１８時を示す時間が含まれる一端２２から他端２３への移動時）には指示部６の移動時間を遅くさせ、かかる指示部６の変化を認識しやすくすることもできる。
また、ユーザが就業時間を過ぎた等により時計を見る機会が少ない時間帯（例えば、１８時から２４時を示す時間が含まれる他端２３から一端２２への移動時）には、指示部６を見る機会も少ないため、指示部６の移動時間を早くさせることもできる。
【００８０】
また、実施形態の指示部６は、２４時針であり、レトログラード表示領域２１を２４時間で１往復するように構成されていたが、指示部６は２４時針に限定されない。指示部６は、例えば、分針であってもよいし、秒針であってもよいし、曜日を指示する曜針であってもよい。
【００８１】
また、実施形態の表示機構５を構成する表示部２０、方向表示部３０、動力伝達機構４０、および各構成部品の形状等は、実施形態に限定されない。したがって、伝達回動部材４６は、扇形状に限定されることはなく、周辺の部品との干渉が回避できるとともに、表示伝え車４７に対して動力を伝達可能な形状であればよい。また、実施形態の方向表示部３０は、円盤状に形成されていたが、例えば平面視で矩形状に形成されていてもよい。
【００８２】
また、実施形態では、文字板２に２個の開口部（第１開口部１５および第２開口部１６）を設けていたが、開口部の個数は２個に限定されない。また、実施形態では、第１マーク３１および第２マーク３２を矢印としていたが、第１マーク３１および第２マーク３２は矢印に限定されない。例えば、第１マーク３１および第２マーク３２をそれぞれ異なる色のみで表示してもよい。
したがって、例えば、文字板２に１個の開口部を設けるとともに、指示部６の移動方向に対応して、異なる色で表示された第１マーク３１と第２マーク３２とを、１個の開口部から交互に露出させる構成としてもよい。さらに、このとき、文字板２に付された第１文字２５および第１方向指示部２７を第１マーク３１と同色とし、第２文字２６および第２方向指示部２８を第２マーク３２と同色とするのが好ましい。これにより、使用者は、色の違いによって指示部６の移動方向を容易に判別することができる。
【００８３】
また、実施形態の作動用回動部材４５は、伝達回動部材４６と、伝達回動部材４６と噛合する表示伝え車４７と、を備えていたが、表示伝え車４７を設けなくても本発明の作用効果を奏することができる。すなわち、表示部作動レバー５１の一方端部５２を伝達回動部材４６に対して回動可能に連結するとともに、他方端部５４を方向表示部３０に対して連結する構成としてもよい。
【００８４】
また、実施形態では、表示部作動レバー５１の一方端部５２に、表示伝え車４７のピン部材４７ａが挿入される挿入孔５３ａとスリット５３ｂとが形成されており、挿入孔５３ａにピン部材４７ａを挿入したときに、表示部作動レバー５１の一方端部５２が弾性変形してピン部材４７ａを締め付けることにより、表示部作動レバー５１の一方端部５２と表示伝え車４７のピン部材４７ａとの間に所定のスリップトルクＴ１を確保していた。これに対して、例えば、スリット５３ｂを設けることなく、挿入孔５３ａにピン部材４７ａを圧入することにより、表示部作動レバー５１の一方端部５２と表示伝え車４７のピン部材４７ａとの間に所定のスリップトルクＴ１を確保してもよい。また、例えば、ばね等の付勢部材を用いることにより、表示部作動レバー５１の一方端部５２と表示伝え車４７のピン部材４７ａとの間に所定のスリップトルクＴ１を確保してもよい。
【００８５】
また、実施形態では、凹部５７の壁面５６ａにより規制部５６を形成していたが、規制部５６の態様は実施形態に限定されない。例えば、規制部５６として、表示部作動レバー５１の他方端部５４の移動軌跡に沿う溝部を地板１２に形成し、表示部作動レバー５１の規制ピン５５ａを溝部内に配置する構成としてもよい。
【００８６】
その他、本発明の趣旨を逸脱しない範囲で、上記した実施の形態における構成要素を周知の構成要素に置き換えることは適宜可能である。
【符号の説明】
【００８７】
１・・・時計  ２・・・文字板  １０・・・ムーブメント（時計用ムーブメント）  １５・・・第１開口部（開口部）  １６・・・第２開口部（開口部）  ２０・・・表示部  ２１・・・レトログラード表示領域（所定領域）  ２２・・・一端  ２３・・・他端  ３１・・・第１マーク  ３２・・・第２マーク  ４０・・・動力伝達機構  ４１・・・２４時間車  ４３・・・２４時作動レバー  ４５・・・作動回動部材  ５１・・・表示部作動レバー  ５２・・・一方端部  ５３・・・他方端部  ５６・・・規制部  ５８・・・移動可能範囲（所定範囲）  Ｐ・・・第１軸  Ｑ・・・第２軸
【図１】
2014235094.tif 000003
【図２】
2014235094.tif 000004
【図３】
2014235094.tif 000005
【図４】
2014235094.tif 000006
【図５】
2014235094.tif 000007
【図６】
2014235094.tif 000008
【図７】
2014235094.tif 000009
【図８】
2014235094.tif 000010
【図９】
2014235094.tif 000011
【図１０】
2014235094.tif 000012
【図１１】
2014235094.tif 000013
【図１２】
2014235094.tif 000014
【図１３】
2014235094.tif 000015
【図１４】
2014235094.tif 000016